(57)【要約】      （修正有）【課題】マグネットフィルタのような重量のある物を管体に直交する向きに取り付ける際に、作業者単独でも容易に安全かつ確実に取り付けられ、且つ取り付け後も引き続き接続部同士が接した状態を保持して補強することのできる取り付け補助具を提供する。【解決手段】内部を流体が通過する管体１に対して直交する向きに取り付けられるマグネットフィルタ４００を、前記管体１の接続部１９と前記マグネットフィルタ４００の接続部４０９とを向かい合わせた状態で接続手段により接続するための取り付け補助具１００であって、掛止部材３００と、被掛止部材２００とからなり、前記管体１に前記マグネットフィルタ４００を取り付ける際に、前記掛止部材３００を被掛止部材２００に掛け止めることで前記マグネットフィルタ４００が所定の取り付け姿勢に保持された状態で接続手段である接続部材により前記管体１および前記マグネットフィルタ４００を接続する。【選択図】図１
2020024040.tif 000002
【特許請求の範囲】
【請求項１】
内部を流体が通過する管体に対して直交する向きに取り付けられるマグネットフィルタを、前記管体の接続部と前記マグネットフィルタの接続部とを向かい合わせた状態で接続手段により接続するための取り付け補助具であって、
基端が前記マグネットフィルタにおける外面の所定位置に取り付けられ、先端に係止部を有する掛止部材と、
前記管体における外面の所定位置に取り付けられた被掛止部材とからなり、
前記管体に前記マグネットフィルタを取り付ける際に、前記掛止部材を被掛止部材に掛け止めることで前記マグネットフィルタが所定の取り付け姿勢に保持されることを特徴とするマグネットフィルタの取り付け補助具。
【請求項２】
前記マグネットフィルタは飲食料品製造設備における金属異物の回収・除去のために用いられるものであって、
前記管体は鉛直方向に配置され、その内部を飲食料品である流体が通過するものであることを特徴とする請求項１記載のマグネットフィルタの取り付け補助具。
【請求項３】
前記掛止部材は、取付部と、腕部と、係止部と、からなり、
前記取付部は前記マグネットフィルタに取り付ける固定板と、前記固定板から突設されて前記腕部を揺動可能に軸支する軸受と、を有し、
前記腕部は前記軸受に軸支される軸体と、前記軸体を軸として揺動する一対の鉤状の側板と、を有し、
前記係止部は前記一対の側板の先端において前記一対の側板間に架設された杆体により形成されており、
前記被掛止部材は、前記杆体を係止する掛止凹部により形成されていることを特徴とする請求項１または２記載のマグネットフィルタの取り付け補助具。
【請求項４】
内部を流体が通過する一方の管体に対して直交する向きに取り付けられる他方の管体を、前記一方の管体の接続部と前記他方の管体の接続部とを向かい合わせた状態で接続手段により接続するための取り付け補助具であって、
基端が前記他方の管体における外面の所定位置に取り付けられ、先端に係止部を有する掛止部材と、
前記一方の管体における外面の所定位置に取り付けられた被掛止部材とからなり、
前記一方の管体に前記他方の管体を取り付ける際に、前記掛止部材を被掛止部材に掛け止めることで前記他方の管体が所定の取り付け姿勢に保持されることを特徴とする管体の取り付け補助具。
【請求項５】
前記掛止部材は、取付部と、腕部と、係止部と、からなり、
前記取付部は前記他方の管体に取り付ける固定板と、前記固定板から突設されて前記腕部を揺動可能に軸支する軸受と、を有し、
前記腕部は前記軸受に軸支される軸体と、前記軸体を軸として揺動する一対の鉤状の側板と、を有し、
前記係止部は前記一対の側板の先端において前記一対の側板間に架設された杆体により形成されており、
前記被掛止部材は、前記杆体を係止する掛止凹部により形成されていることを特徴とする請求項４記載の管体の取り付け補助具。
【発明の詳細な説明】
【技術分野】
【０００１】
本発明は、マグネットフィルタまたは管体の取り付けを容易にする取り付け補助具に関するものである。
【背景技術】
【０００２】
従来から、水道管、ガス管を初めとして各種の流動体の搬送手段として管体が用いられており、これらの管体の端部を接続したり、分岐部を構成する場合は、互いに設けた接続部を接続部材を用いて互いに接続する、継手による接続手段を用いることが一般的である。
【０００３】
図９は従来から知られている例えば互いに交差させた一方の管体１および他方の管体２の接続部１１および２１を雄ねじ部３１と雌ねじ部３２とからなる接続部材３を用いて接続する状態を示すものであり、この場合には図８（ｂ）に示すように、例えば一方の管体２を手４で掴んで管体２の接続部２１に付設された接続部材３の雌ねじ部３２を管体１の接続部１１に形成されている雄ねじ部３１に接続してスパナなどの工具（図示せず）を用いて螺締させる必要がある。
【０００４】
その際に、一方の手４で接続する管体２を掴んで他方の手（図示せず）で接続部材３を締結することになるため作業者単独での作業は作業性に難がある。特に、管体２の口径が大きい場合や重量のある場合は接続が完了するまで、あるいは接続の解除が完了するまでの間把持するために多大な労力を要するほか利き腕側に接続する管体２を掴持して接続部材３を締結する場合なども同様になるため、通常は２名以上での作業が必要となりがちであった。
【０００５】
図１０は互いに交差させた一方の管体１および他方の管体２の端部にそれぞれ形成したヘルール接続部１９および２９をクランプバンドである接続部材９を用いて接続する状態を示すものであり、例えば管体２を手で掴んで管体２のヘルール接続部２９と管体１のヘルール接続部１９とを密接させた状態で保持しつつ、接続部材９を巻き回し、固定ねじ９１を締めることで接続部材９によって管体２のヘルール接続部２９と管体１のヘルール接続部１９とを密接させた状態で締結する必要がある。
【０００６】
この様に従来の継手を用いる管体の接続手段によると、着脱作業が困難、あるいは複数の人手が必要となるだけでなく、管体１と管体２とはねじ接続式の接続部材３やヘルール接続式のクランプバンドである接続部材９により接続されているだけであるので、常に管体１または２の荷重が接続部材３，９部分に掛かることから、長年の使用により接続部材３，９に負担が掛かり、その部分から接続が緩み、外れるというおそれがあり、特に、水平方向の管体２自身が重量を有する場合には注意を要する。更に、地中に設置される水道管やガス管などでは地震などの地盤の変動や、配管部分の変位などによっても、接続部分が外れたり、あるいは折れ曲がったり、または、亀裂や断裂、接続部の緩みなどが生じることもある。
【０００７】
特に、管体１に交差させて磁力により金属異物を回収・除去するためのマグネットフィルタを配置する場合、このマグネットフィルタは主に希土類の磁性体を金属製のケースに内装してなるものであるため、大重量となり、鉛直方向に配置された管体のある程度高さのある接続部に対して、マグネットフィルタを管体に対して直交させて取り付ける作業が困難であったことから、水平方向に配置された管体の接続部に対して垂直に立設させるように取り付ける場合が多かった。
【０００８】
しかも、マグネットフィルタは、主に飲食料品の製造設備で用いられ、製品に金属異物が含まれないように回収・除去するものであるが、流体の種類を切り替える度に、マグネットフィルタを取り外してマグネットバーに付着した金属異物を除去した後に再度取り付ける脱着作業が必要となる。
【０００９】
この脱着作業は、一日あたり数回行うことも多く、その度に複数名の作業者による作業を必要としたり、その際にマグネットフィルタが重量物であるため、万一落下事故があると製造設備やマグネットフィルタ自体の破損につながるだけでなく、作業者が怪我をするおそれもあった。
【００１０】
複数の作業者によって安全面に配慮しながら脱着作業をすることは非常に手間やコストがかかるものであったため、作業者単独で容易に安全かつ確実に脱着作業を行えるような発明が急務で求められていた。
【００１１】
これに対して、例えば、特開２０１５−７５１７０号公報に提示されているように互いの管体を支持しながら接続する手段が知られている。この方法は図１１に示すように、一方の管２ａの受口に他方の管３ａの挿口を挿入する管継手接続装置１ａであって、受口近傍で管２ａに当接する受口側当接片１２ａを備えた受口側支持部１０ａと、挿口近傍で管３ａに当接する挿口側当接片２２ａと、回動軸心Ｐ周りに回動することにより挿口側当接片２２ａを押圧して管３ａを挟持する回動機構２３ａと、を備えた挿口側支持部２０ａと、管３ａの軸心と平行し、受口側支持部１０ａに固定される一端と、挿口側支持部２０ａが摺動可能に接続された他端を備える案内軸３０ａと、回動機構２３ａを回動操作して押圧された挿口側当接片により管を挟持し、受口側支持部を介して回動機構と接続され、挟持状態で挿口を受口側に引き込む牽引操作部４０ａと、を備えている構成とすることにより容易に管の接続作業を行なうことができるものである。
【００１２】
しかしながら、この管継手接続装置は互いに接続する管体を所定の接続位置に保持させながら接続するので接続作業を容易にすることはできるが、接続後には取り外してしまうものであり、その接続装置の回収・保管などが必要であるとともに、その後の接続部の補強については何ら考慮されていない。
【００１３】
一方、図１２に示したように、特開平９−５３７８３号公報には地中に埋設する配管接続用分岐管で地震などの地盤の変動や、配管部分の変位などによっても、接続部分が外れたり、あるいは折れ曲がったり、または、亀裂や断裂、接続部の緩みなどが生じないようにした、接続部分の信頼性が高い管接続用エルボが提供されているが、接続作業については何ら考慮されておらず、また構造も複雑であるという問題がある。
【００１４】
また、図１３に示した韓国登録実用新案第２０−０４４３５４１号公報（特許文献３）および図１４に示した実開平３−７５３８７号公報（特許文献４）のような管継手接続装置が知られているが、これら発明は軸線を一致させた管体同士を接続するためのものであって、流体が通過する一方の管体に交差して他方の管体やマグネットフィルタを取り付ける際には適さなかった。
【００１５】
したがって、複雑な機構を必要とすることなく、従来の継手を用いる接続手段において、特にマグネットフィルタのような重量のある物を、流体が通過する管体に対して直交する向きに取り付ける際に、作業者単独でも安全かつ確実に脱着を可能とするとともに、取り付け後も引き続き接続部同士が接した状態を保持することが可能であり、万一接続手段が破損したとしても取り付け状態が解除されることのない取り付け補助具が求められていた。
【先行技術文献】
【特許文献】
【００１６】
【特許文献１】特開２０１５−７５１７０号公報
【特許文献２】特開平９−５３７８３号公報
【特許文献３】韓国登録実用新案第２０−０４４３５４１号公報
【特許文献４】実開平３−７５３８７号公報
【発明の概要】
【発明が解決しようとする課題】
【００１７】
本発明は、マグネットフィルタのような重量のある物を管体に直交する向きに取り付ける際に、作業者単独でも容易に安全かつ確実に取り付けられ、且つ取り付け後も引き続き接続部同士が接した状態を保持して補強することのできる取り付け補助具を提供することを課題とする。
【課題を解決するための手段】
【００１８】
前記課題を解決するためになされた本発明であるマグネットフィルタの取り付け補助具は、内部を流体が通過する管体に対して直交する向きに取り付けられるマグネットフィルタを、前記管体の接続部と前記マグネットフィルタの接続部とを向かい合わせた状態で接続手段により接続するための取り付け補助具であって、基端が前記マグネットフィルタにおける外面の所定位置に取り付けられ、先端に係止部を有する掛止部材と、前記管体における外面の所定位置に取り付けられた被掛止部材とからなり、前記管体に前記マグネットフィルタを取り付ける際に、前記掛止部材を被掛止部材に掛け止めることで前記マグネットフィルタが所定の取り付け姿勢に保持されることを特徴とする。
【００１９】
また、本発明において、前記マグネットフィルタは飲食料品製造設備における金属異物の回収・除去のために用いられるものであって、前記管体は鉛直方向に配置され、その内部を飲食料品である流体が通過するものであることを特徴とする場合、従来の取り付け方法においては、鉛直方向に配置された管体のある程度高さのある接続部に対して重量物であるマグネットフィルタを垂直に取り付ける作業が困難であったことから、水平方向に配置した管体の接続部に対して垂直に立設させるように取り付ける場合が多かったが、これに対し本発明は、鉛直方向に配置された管体内を充満させながら下から上へと流れる飲食料品である流体に対してマグネットフィルタを確実に接触させることができるため、金属異物の回収・除去の効率を著しく向上させることができる。
【００２０】
更に、前記掛止部材は、取付部と、腕部と、係止部と、からなり、前記取付部は前記マグネットフィルタに取り付けるための固定板と、前記腕部を揺動可能に軸支する軸受と、を有し、前記腕部は前記軸受に軸支される軸体と、前記軸体を軸として揺動する一対の鉤状の側板と、を有し、前記係止部は前記両側板の先端において前記両側板間に架設された杆体により形成されており、前記被掛止部材は、前記杆体を係止する掛止凹部により形成されていることを特徴とする場合、マグネットフィルタに備えた掛止部材の係止部である杆体と管体に備えた被掛止部材の掛止凹部とが係止されることで、マグネットフィルタは所定の取り付け姿勢を保持することが可能であって、且つ前記腕部が揺動可能であることから細かい位置調整も容易であり、更に前記側板が鉤状になっていることから掛止部材および被掛止部材の内側スペースが広く確保でき、接続手段により前記管体と前記マグネットフィルタを接続する際に作業の邪魔になる恐れがない。
【００２１】
また、もう一つの本発明である管体の取り付け補助具は、内部を流体が通過する一方の管体に対して直交する向きに取り付けられる他方の管体を、前記一方の管体の接続部と前記他方の管体の接続部とを向かい合わせた状態で接続手段により接続するための取り付け補助具であって、基端が前記他方の管体における外面の所定位置に取り付けられ、先端に係止部を有する掛止部材と、前記一方の管体における外面の所定位置に取り付けられた被掛止部材とからなり、前記一方の管体に前記他方の管体を取り付ける際に、前記掛止部材を被掛止部材に掛け止めることで前記他方の管体が所定の取り付け姿勢に保持されることを特徴とする。
【００２２】
更に、前記掛止部材は、取付部と、腕部と、係止部と、からなり、前記取付部は前記他方の管体に取り付ける固定板と、前記固定板から突設されて前記腕部を揺動可能に軸支する軸受と、を有し、前記腕部は前記軸受に軸支される軸体と、前記軸体を軸として揺動する一対の鉤状の側板と、を有し、前記係止部は前記一対の側板の先端において前記一対の側板間に架設された杆体により形成されており、前記被掛止部材は、前記杆体を係止する掛止凹部により形成されていることを特徴とする場合、前記他方の管体に備えた掛止部材の係止部である杆体と前記一方の管体に備えた被掛止部材の掛止凹部とが係止されることで、前記他方の管体は所定の取り付け姿勢を保持することが可能であって、且つ前記腕部が揺動可能であることから細かい位置調整も容易であり、更に前記側板が鉤状になっていることから掛止部材および被掛止部材の内側スペースが広く確保でき、接続手段により前記一方の管体と前記他方の管体を接続する際に作業の邪魔になる恐れがない。
【発明の効果】
【００２３】
本発明によれば、マグネットフィルタ側の掛止部材および管体側の被掛止部材を係止させるという簡単な作業で、接続作業または接続解除作業が完了するまでの間、マグネットフィルタを所定の取り付け姿勢に保持し続けることができるので、重量物であるマグネットフィルタを接続手段により管体に取り付ける際に作業者単独でも安全かつ確実に取り付けることを可能とするとともに、万一接続手段が破損したとしても取り付け状態が解除されることなく、且つ掛止部材および被掛止部材が係止し続けることによって、接続手段による接続を解除した後もマグネットフィルタが落下することがないため、作業者単独でも安全かつ確実に取り外しもできる優れたマグネットフィルタの取り付け補助具を提供することができる。
【００２４】
また、もう一つの本発明によれば、管体を交差させて配置する際に作業者単独でも安全かつ確実に取り付けることを可能とするとともに、取り付け後も引き続き掛止部材および被掛止部材が係止し続けることによって、接続部同士が接した状態を保持することが可能であり、万一接続手段が破損したとしても取り付け状態が解除されない優れた管体の取り付け補助具を提供することができる。
【００２５】
上記本願の各発明における共通点として、前記掛止部材と前記被掛止部材の係止は揺動可能な腕部の先端の杆体を掛止凹部で保持することにより係止するものであることから、一方の管体に接続するマグネットフィルタまたは他方の管体の俯仰角の微調整が非常に容易である利点を有する。
【図面の簡単な説明】
【００２６】
【図１】本発明の好ましい実施の形態を示す斜視図。
【図２】図１に示した実施の形態の使用方法を示す側面図であり、（ａ）は初期状態、（ｂ）は係止前、（ｃ）は係止後、（ｃ）は接続後を示す。
【図３】本実施の形態におけるマグネットフィルタのマグネットバーの向きを示す図であり、（ａ）は正しい向きにおけるマグネットバーの配置図、（ｂ）は９０度回転した誤った向きにおけるマグネットバーの配置図。
【図４】図１に示した取り付け補助具を一方の管体と他方の管体に取り付けた状態を示す斜視図。
【図５】本発明の異なる実施の形態における接続前の状態を示す側面図。
【図６】図５に示した実施の形態の要部を示す斜視図。
【図７】図５に示した実施の形態の使用方法を示す側面図であり、（ａ）は接続する前、（ｂ）は接続時、（ｃ）は接続後を示す。
【図８】本発明の更に異なる実施の形態の要部を示す斜視図。
【図９】従来例を示す側面図であり、（ａ）は接続前の状態を示し、（ｂ）は接続時を示す。
【図１０】従来例を示す側面図。
【図１１】従来例を示す側面図。
【図１２】従来例を示す縦断面図。
【図１３】従来例を示す斜視図。
【図１４】従来例を示す平面図。
【発明を実施するための形態】
【００２７】
以下に、本発明の好ましい実施の形態について図面を参照して詳細に説明する。
【００２８】
図１は本発明であるマグネットフィルタの取り付け補助具１００の好ましい実施の形態を示す図であり、前記取り付け補助具１００は、飲食料品製造設備における金属異物の回収・除去のために用いられるマグネットフィルタ４００の取り付けを補助するものであって、飲食料品である流体が流れる管体１に形成された被掛止部材２００と、前記マグネットフィルタ４００に形成された掛止部材３００と、からなる。
【００２９】
更に詳細に説明すると、前記掛止部材３００は、取付部３１０と、腕部３２０と、係止部３３０と、からなり、前記被掛止部材２００は、前記係止部３３０を係止する掛止凹部２１０からなる。
【００３０】
前記取付部３１０は、マグネットフィルタ４００を所定の取付向きにした際に上を向く外面４０１における所定位置に例えば溶接や接着により取り付けられた固定板３１１と、前記固定板３１１から立設されて前記腕部３２０を揺動可能に軸支する軸受３１２とを有する。
【００３１】
前記腕部３２０は、前記軸受３１２に軸支される軸体３２１と、前記軸体３２１を軸として揺動する一対の鉤状の側板３２２ａ、３２２ｂとを有する。
【００３２】
前記係止部３３０は、前記腕部３２０の先端において前記両側板３２２ａ、３２２ｂ間に架設された杆体３３１により形成されている。
【００３３】
前記被掛止部材２００は、前記管体１のヘルール接続部１９の上方の外面１２における所定位置に例えば溶接や接着により取り付けられて前記杆体３３１を係止する掛止凹部２１０からなる。
【００３４】
以上の構成を有する本実施の形態のマグネットフィルタの取り付け補助具１００を使用するには、まず、図２（ａ）に示すように、管体１の近くにマグネットフィルタ４００を持ち上げ、管体１に設けられたヘルール接続部１９とマグネットフィルタ４００のヘルール接続部４０９とを近接させる。
【００３５】
次に、図２（ｂ）に示すように、マグネットフィルタ４００に取り付けられた掛止部材３００の先端の係止部３３０を、管体１に取り付けられた被掛止部材２００の掛止凹部２１０に係止させる。
【００３６】
そうすると、図２（ｃ）に示すように、水平方向に手で把持されていたマグネットフィルタ４００は、取り付け補助具１００の掛止部材３００の係止部３３０と被掛止部材２００の掛止凹部２１０が係止していることで接続部同士が接した所定の取り付け姿勢で保持されつつ、マグネットフィルタ４００の荷重が取り付け補助具１００により支持され、作業者が把持していた手を離してもマグネットフィルタ４００は所定の取り付け姿勢を保つので、作業者は両手を自由に使用して続いての作業をすることができる。
【００３７】
更に、前記掛止部材３００と前記被掛止部材２００の係止は揺動可能な腕部３２０の先端の杆体３３１を掛止凹部２１０で保持することにより係止するものであることから、マグネットフィルタ４００の俯仰角の微調整が非常に容易である利点を有する。
【００３８】
最後に、図２（ｄ）に示すように、管体１に設けられたヘルール接続部１９とマグネットフィルタ４００のヘルール接続部４０９とを密接させた状態で、クランプバンド型の接続部材９を巻き回し、固定ねじ９１を締めることで接続部材９によって管体１のヘルール接続部１９とマグネットフィルタ４００のヘルール接続部４０９とを密接させた状態で締結する。
【００３９】
このとき、前記側板３２２ａ、３２２ｂが鉤状になっていることから前記掛止部材３００および前記被掛止部材２００の内側スペースが広く確保でき、接続部材９により前記管体１と前記マグネットフィルタ４００を接続して固定ねじ９１を締める際に作業の邪魔になる恐れがない。
【００４０】
尚、管体１からマグネットフィルタ４００を取り外す際は反対の手順で取り外すものであるが、取り付け補助具１００の掛止部材３００の係止部３３０と被掛止部材２００の掛止凹部２１０が係止しており、マグネットフィルタ４００が落下することがないため、マグネットフィルタ４００を支えておく必要がなく接続部材９を取り外すことができる。
【００４１】
従って、マグネットフィルタ４００の落下による破損や怪我の心配をすることなく、作業者は安心して接続部材９を取り外すことができる（図２（ｃ）の状態となる）。
【００４２】
続いて、マグネットフィルタ４００を持ち上げて管体１から取り外す。このとき、前記掛止部材３００と前記被掛止部材２００の係止は揺動可能な腕部３２０の先端の杆体３３１を掛止凹部２１０で保持することにより係止するものであることから、マグネットフィルタ４００を持ち上げるだけで掛止凹部２１０内部から杆体３３１が離脱して係止が解除されるので、非常に取り外し作業が容易である。
【００４３】
本実施の形態における管体１は、金属異物が管体内周面の下方に沿って通過することでマグネットフィルタによる回収・除去がされずにすり抜けてしまうリスクを避けるために、水平方向に配置したものではなく、鉛直方向に配置され、その内部を下から上（図３における黒矢印方向）へと飲食料品である流体が通過するものである。
【００４４】
本実施の形態において用いるマグネットフィルタ４００は、装着する向きが定められており、所定の向きに装着しない場合は効力が低下する。これは、図３に示すように７本のマグネットバー４０２の配置が正しい向き（図３（ａ）参照）と、９０度回転した向き（図３（ｂ）参照）で変化することにより、前記管体１内の流体の流れへの影響が異なるためである。
【００４５】
すなわち、図３（ａ）に示した正しい向きにマグネットフィルタ４００を取り付けた場合、上方のマグネットバー４０２ａ，４０２ｂおよび下方のマグネットバー４０２ｃ，４０２ｄが流体の流れを阻害するように配置されることで最も効率良く流体中の金属異物を回収・除去することができるが、それ以外の例えば図３（ｂ）に示した９０度回転した誤った向きにマグネットフィルタ４００を取り付けた場合、前記マグネットバー４０２ａ，４０２ｂおよび前記マグネットバー４０２ｃ，４０２ｄによって流体の流れが阻害されることなく下から上（図３における黒矢印方向）へと素通りしてしまうため、流体中の金属異物を回収・除去しづらくなってしまう。
【００４６】
しかしながら、管体１およびマグネットフィルタ４００のヘルール接続部１９，４０９はともに円形であってどのような向きであっても取り付けることが可能であるため、マグネットフィルタ４００の向きは作業者が注意する必要があった。
【００４７】
これに対し、本発明であるマグネットフィルタの取り付け補助部材１００は、掛止部材３００と被掛止部材２００を係止させた際にマグネットフィルタ４００が正しい向きになるように構成されているため、作業者の不注意による取り付けミスを確実に回避することができるものである。
【００４８】
尚、本実施の形態における接続手段は、ヘルール接続部１９，４０９およびクランプバンド型の接続部材９を使用して管体１とマグネットフィルタ４００を接続する接続手段について説明したが、例えば、ねじ接続式の接続部とユニオン継手による接続手段その他従来周知の接続手段を用いることが可能である。
【００４９】
また、本実施の形態に示した掛止部材および被掛止部材は一例であり、これに限るものでなく、基端部が前記マグネットフィルタの外面に揺動可能に取り付けられているとともに先端部に係止部を有する掛止部材と、その被掛止部材とからなればよく、掛止部材と被掛止部材を逆に配置してもよい。
【００５０】
更に、図４に示すように、前記マグネットフィルタ４００の代わりに、他方の管体２を用いて、一方の管体１に他方の管体２を接続するための取り付け補助具としてもよい。
【００５１】
前記図４に示した取り付け補助具１００は、管体２の取り付けを補助するものであって、管体１の外面２２に形成された被掛止部材２００と、前記マグネットフィルタ４００に形成された掛止部材３００と、からなるものであって、図１に示した取り付け補助具と同様の構成であるため詳細な説明は省略する。
【００５２】
図５乃至図７は本発明の異なる実施の形態として、前記図９に示した従来例とほぼ同様に、互いに交差させた管体１および２の接続部１１および２１を例えば従来周知のユニオン継手のような構造の接続部材３により接続する際の好ましい実施の形態を示すものであり、管体１および管体２の基本的部分については接続部材３を含めて前記図９に示した従来例とほぼ同様であるが、一方の管体２の外面２２の所定位置に取り付けられた掛止部材５ともう一方の管体１の外面１２に取り付けられた被掛止部材６とからなる管接続用接続部材の補助具７が配置されている点が異なる。
【００５３】
更に、詳細に説明すると、前記管接続用接続部材の補助具７を構成する掛止部材５は、本実施の形態では、一方の管体２の前記接続するもう一方の管体１に対向する外面２２における所定位置において例えば溶接や接着剤などにより強固に固着された中心軸線に対して垂直方向に延設される軸体５１を有する取付基台５２と、基端５３，５３が前記掛止部材５の軸体５１に互いに所定間隔で対向して回動可能に取り付けられている側面が例えば直角に屈曲した鉤形である一対の側板５４，５４と、前記側板５４，５４の先端５５，５５間に直角に架設された杆状の掛止部５６とから構成される。
【００５４】
また、もう一方の管体１に取り付けられる前記被掛止部材６は、前記接続する一方の管体２の前記もう一方の管体１に対向する外面２２における所定位置において例えば溶接や接着剤などにより強固に固着された中心軸線に対して垂直方向に延設される前記掛止部５６が掛止される掛止凹部６１を有する基台６２から構成される。
【００５５】
以上の構成を有する本実施の形態を使用するには、まず、図７（ａ）に示すように、水平方向に把持した管体２の接続部材３の雌ねじ部３１を管体１の接続部材３の雄ねじ部３２に近づけ、次いで図７（ｂ）に示すように、管体２に取り付けられた掛止部材５の先端に取り付けた掛止部材５の掛止部５６を管体１に取り付けられた被掛止部材６の掛止凹部６１に掛止させて前記互いの接続部材３の雄ねじ部３２と雌ねじ部３１とを所定の接続位置に配置させる。
【００５６】
このとき、本実施の形態では、前記水平方向に手４で把持されていた管体２は管接続用接続部材の補助具７の掛止部材５の掛止部５６と被掛止部材６の掛止凹部６１への掛止により保持されることになり、管体２の荷重が管接続用接続部材の補助具７により保持されるので前記把持していた手４を離しても管体２は管体１に支持されるので、そのまま離した手４で接続部材３を工具により締結する操作をすることにより（図示せず）、接続部材３を固定して接続作業をきわめて簡単に行うことができるものである。
【００５７】
尚、本実施の形態では前記被掛止部材６の掛止凹部６１は前記掛止部材５の掛止部５６を掛止した際に管体１の軸線方向に直角方向に移動可能に幅広く形成されているので、接続時に掛止操作が容易であるとともに接続部材３の締結に応じて移動して所定位置に固定されることになり、接続作業がきわめて容易且つ確実である。
【００５８】
また、本実施の形態によると、管体２は従来の接続部材３部分で管体１に接続されているものと異なり、管接続用接続部材の補助具７により荷重自体が管体２に保持されているので安定した状態で接続状態を維持することができる。
【００５９】
従って、管体２が例えば磁気浄水器などの重量物の配管であっても作業が容易でその後の保持も安定した状態で使用できるものであり、また、地中に埋設する水道やガスの分岐管などの場合では接続作業が容易で且つ地震や交通の揺動などにも接続部材３部分が外れることもなく、また、接続部材３が外れたとしても管体２と管体１とは管接続用接続部材の補助具７により互いに掛止状態に保持されているので被害が少なく復旧箇所も直ぐに確認できるなどの利点を有している。
【００６０】
尚、本実施の形態は、通常の屋内での水道配管について実施した場合を示したが、地中での大径の重量がある管体同士を接続する場合には例えば図８に示すように、一対の側板５４，５４の先端５５，５５間に直角に架設された杆状の掛止部５６とから構成される掛止部材５ならびに被掛止部材６を鉄や軽合金などの剛性の大きな素材により一体的に成形したものを用いることで大径の管体（図示せず）を含めて多用途の管体接続に用いることができるものである。
【００６１】
また、本実施の形態に示した掛止部材５および被掛止部材６は一例であり、これに限るものでなく、基端部が前記接続する一方の管の外面にその軸線方向に回動可能に取り付けられているとともに先端部に掛止部を有する側面が鉤形の掛止部材と、その被掛止部材とからなればよい。
【００６２】
本実施の形態は、接続時に従来は把持しておく必要があった一方の管体２（各種の管継手を要する機器を含む）を把持しなくても空いた手で接続部材３を締結して固定することができるばかりか接続した後は接続した管体同士が互いに連結された状態で接続部材３部分だけに荷重が掛からないので接続後の保持にもきわめて有効である。
【００６３】
以上のように、本発明によれば、マグネットフィルタ側の掛止部材および管体側の被掛止部材を係止させるという簡単な作業で、接続作業または接続解除作業が完了するまでの間、マグネットフィルタを所定の取り付け姿勢に保持し続けることができるので、重量物であるマグネットフィルタを接続手段により管体に取り付ける際に作業者単独でも安全かつ確実に取り付けることを可能とするとともに、万一接続手段が破損したとしても取り付け状態が解除されることなく、且つ掛止部材および被掛止部材が係止し続けることによって、接続手段による接続を解除した後もマグネットフィルタが落下することがないため、作業者単独でも安全かつ確実に取り外しもできる優れたマグネットフィルタの取り付け補助具を提供することができる。
【符号の説明】
【００６４】
１  管体、２  管体、３  接続部材、４  手、５  掛止部材、６  被掛止部材、７  管接続用接続部材の補助具、８  垂直取付部材、９  接続部材、１１  接続部、１２  外面、１９  ヘルール接続部、２１  接続部、２２  外面、２９  ヘルール接続部、３１  雌ねじ部、３２  雄ねじ部、５１  軸体、５２  取付基台、５３  基端、５４  側板、５５  先端、５６  掛止部、６１  掛止凹部、６２  基台、８１  取付部、９１  固定ねじ、１００  取り付け補助具、２００  被掛止部材、２１０  掛止凹部、３００  掛止部材、３１０  取付部、３１１  固定板、３１２  軸受、３２０  腕部、３２１  軸体、３２２ａ，３２２ｂ  側板、３３０  係止部、３３１  杆体、４００  マグネットフィルタ、４０１  外面、４０２，４０２ａ，４０２ｂ，４０２ｃ，４０２ｄ  マグネットバー、４０９  ヘルール接続部
【図１】
2020024040.tif 000003
【図２】
2020024040.tif 000004
【図３】
2020024040.tif 000005
【図４】
2020024040.tif 000006
【図５】
2020024040.tif 000007
【図６】
2020024040.tif 000008
【図７】
2020024040.tif 000009
【図８】
2020024040.tif 000010
【図９】
2020024040.tif 000011
【図１０】
2020024040.tif 000012
【図１１】
2020024040.tif 000013
【図１２】
2020024040.tif 000014
【図１３】
2020024040.tif 000015
【図１４】
2020024040.tif 000016